(57)【要約】      （修正有）【課題】取り付けが容易に行われる天井直付け灯を提供する。【解決手段】天井直付け灯１００であって、天井直付けベース１０、接続機構２０、ジョイント部品３０、光源ユニット４０と笠５０を含んでおり、前記天井直付けベースと前記笠を接続して組み合わせて収納スペースを形成しており、前記ジョイント部品の一端が接続機構に電気接続され、その他端が光源ユニットに電気接続されており、前記接続ユニットは、マッチングして設けられる第一のジョイント３１と第二のジョイント３２を含んでおり、前記第一のジョイントが前記接続機構に接続され、前記第二のジョイントが前記天井直付けベースに接続されており、前記第一のジョイントと前記第二のジョイントとは取り外し可能に挿入し接続されており、前記接続機構は前記天井直付けベースの頂部に接続されるとともに電源に電気接続されている。【選択図】図１
0003222159.tif 000002
【実用新案登録請求の範囲】
【請求項１】
天井直付け灯であって、天井直付けベース、接続機構、ジョイント部品、光源ユニットと
笠を含んでおり、前記天井直付けベースと前記笠を接続して組み合わせて収納スペースを
形成しており、前記ジョイント部品の一端が前記接続機構に電気接続され、他の一端が前
記光源ユニットに電気接続されており、
前記接続ユニットは、マッチングして設けられる第一のジョイントと第二のジョイントを
含んでおり、前記第一のジョイントが前記接続機構に接続され、前記第二のジョイントが
前記天井直付けベースに接続されており、前記第一のジョイントと前記第二のジョイント
とは取り外し可能に挿入して接続されており、
前記接続機構は前記天井直付けベースの頂部に接続されるとともに電源に電気接続されて
いる、
ことを特徴とする天井直付け灯。
【請求項２】
前記接続機構は、本体部、蓋板、第一の位置限定部品と第二の位置限定部品を含んでおり
、
前記本体部と前記蓋板を組み合わせて収納スペースを形成しており、前記第一の位置限定
部品と前記第二の位置限定部品はいずれも一部が前記本体部と前記蓋板によって形成され
る収納スペース内に収納されている、
ことを特徴とする請求項1に記載の天井直付け灯。
【請求項３】
前記接続機構は、さらにピン部品を含んでおり、前記ピン部品の一段が前記蓋板内部の収
納スペース内に設けられ、前記ピン部品が前記電源と前記第一のジョイントにそれぞれ電
気接続されている、
ことを特徴とする請求項2に記載の天井直付け灯。
【請求項４】
前記第一の位置限定部品は第一の押し部、位置限定部と第一のバネを含んでおり、前記位
置限定部と前記第一の押し部とが当接して設けられ、前記位置限定部の底部と前記第一の
バネとが当接して設けられており、前記第一の押し部と前記位置限定部との間は斜面を形
成しており、前記第一の押し部が押されると、前記位置限定部を前記頂蓋から離れる方向
に向かって移動させられバネを圧縮する、
ことを特徴とする請求項2に記載の天井直付け灯。
【請求項５】
前記天井直付けベースの頂部の中心に設けられ、かつ前記貫通穴の同軸上に設けられる環
形ボスを含んでおり、前記環形ボスは環形本体と位置限定縁を備えており、また前記位置
限定縁は対向して設置される二つの欠口を有し、前記環形ボスは前記接続機構を位置限定
するために用いられる、
ことを特徴とする請求項1に記載の天井直付け灯。
【請求項６】
前記第二の位置限定部品は第二の押し部と第二のバネを含んでおり、前記第二の押し部と
前記第二のバネとが当接して設けられ、前記第二の位置限定部品の個数が二つであり、か
つ前記二つの位置限定部品が対向して設置されている、
ことを特徴とする請求項5に記載の天井直付け灯。
【請求項７】
前記第一のジョイントが前記本体部における前記蓋板側と反対側の面に設けられており、
前記天井直付けベースの中心に貫通穴が備えられており、前記第二のジョイントが前記貫
通穴内に係合し嵌合されており、前記第一のジョイントと前記第二のジョイントとはマッ
チングして插入して接続されている、
ことを特徴とする請求項1に記載の天井直付け灯。
【考案の詳細な説明】
【技術分野】
【０００１】
本実用新案は天井直付け灯の技術領域に関し、特に取り付けが容易に行われる天井直付
け灯に関する。
【背景技術】
【０００２】
従来の天井直付け灯は、取り付けが面倒くさい。まず、天井直付けベースの取り付けであ
って、天井直付けベースを天井や壁に固定される地震センサーに接続すること。つぎに、
光源を天井直付けベースに取り付けること。さらに、電源への接続。最後に、笠と天井直
付けベースとを一体にバックル連結させること。
【０００３】
従来の天井直付け灯の取り付けの相当な不便さから、取り付けが容易に行われる天井直付
け灯を提供することが非常に必要になると思われる。
【考案の概要】
【考案が解決しようとする課題】
【０００４】
本実用新案は取り付けが容易に行われる天井直付け灯を提供することを目的とする。
【課題を解決するための手段】
【０００５】
天井直付け灯であって、天井直付けベース、接続機構、ジョイント部品、光源ユニットと
笠を含んでおり、前記天井直付けベースと前記笠を接続して組み合わせて収納スペースを
形成しており、前記ジョイント部品の一端が接続機構に電気接続され、その他端が光源ユ
ニットに電気接続されており、
前記接続ユニットは、マッチングして設けられる第一のジョイントと第二のジョイントを
含んでおり、前記第一のジョイントが前記接続機構に接続され、前記第二のジョイントが
前記天井直付けベースに接続されており、前記第一のジョイントと前記第二のジョイント
とは取り外し可能に挿入し接続されており、
前記接続機構は前記天井直付けベースの頂部に接続されるとともに電源に電気接続されて
いることを特徴とする天井直付け灯である。
【０００６】
好ましくは、前記接続機構は、本体部、蓋板、第一の位置限定部品と第二の位置限定部品
を含んでおり、
前記本体部と前記蓋板を組み合わせて収納スペースを形成しており、前記第一の位置限定
部品と前記第二の位置限定部品はいずれも一部が前記本体部と前記蓋板によって形成され
る収納スペース内に収納されている。
【０００７】
好ましくは、一段が前記蓋板内部の収納スペース内に設けられるピン部品を含んでおり、
前記ピン部品が前記電源と前記第一のジョイントにそれぞれ電気接続されている。
【０００８】
好ましくは、前記第一の位置限定部品は第一の押し部、位置限定部と第一のバネを含んで
おり、前記位置限定部と前記第一の押し部とが当接して設けられ、前記位置限定部の底部
と前記第一のバネとが当接して設けられており、前記第一の押し部と前記位置限定部との
間は斜面構成となっており、前記第一の押し部が押されると、前記位置限定部を前記頂蓋
から離れる方向に向けって移動させてバネを圧縮させるようになる。
【０００９】
好ましくは、前記天井直付けベースの頂部の中心に設けられ、かつ前記貫通穴に同軸に設
けられる環形ボスを含んでおり、前記環形ボスは環形本体と位置限定縁を備えており、ま
た前記位置限定縁は対向して設置される二つの欠口を有し、前記環形ボスは前記接続機構
を位置限定するために用いられる。
【００１０】
好ましくは、前記第二の位置限定部品は第二の押し部と第二のバネを含んでおり、前記第
二の押し部と前記第二のバネとが当接して設けられ、前記第二の位置限定部品の個数が二
つであり、かつ前記二つの位置限定部品が対向して設置されている。
【００１１】
好ましくは、前記第一のジョイントが前記本体部における前記蓋板側と反対側の面に設け
られており、前記天井直付けベースの中心に貫通穴が備えられており、前記第二のジョイ
ントが前記貫通穴内に係合し嵌合されており、前記第一のジョイントと前記第二のジョイ
ントとはマッチングして插入し接続されている。
【考案の効果】
【００１２】
本実用新案において提供される天井直付け灯は、取り付け及び取り外しに便利であるとい
う利点があり、ニーズによってユニットの交換も可能で、良好なユーザの使用体験を与え
られる。
【図面の簡単な説明】
【００１３】
本実用新案の実施例の中の技術方案をもっとはっきりと説明するため、下記に実施例の技
術の説明の中に使用する必要がある図面に簡単な紹介を行って、一目でわかることは下記
の説明の中の図面はただ実用新案のいくつかの実施例で、本分野の当業者にとって、創造
的な労働を払わないことを前提に、これらの図面に基づいてそのほかの図面を得ることが
できる。
【図１】図1は、本実用新案に係る天井直付け灯の分解した構造を示す図である。
【図２】図2は、図1に示す天井直付け灯を組み立てた構造を示す図である。
【図３】図3は、図1に示す天井直付け灯を連結した構造を示す図である。
【図４】図4は、図3に連結した構造の分解した構造を示す図である。
【図５】図5は、図4に示す連結した構造から蓋板を取り除いた構造を示す図である。
【図６】図6は、図4に示す第一の位置限定部品の構造を示す図である。
【考案を実施するための形態】
【００１４】
以下、本実用新案の実施例の技術方案について明確に、完全に説明するが、それらの説明
は本実用新案の実施例の一部の実施例であり、全部ではない。本実用新案の実施例に基づ
き、当業者が創造的な労働することなく容易に考えられる他の実施例はいずれも本実用新
案の保護範囲に入る。
【００１５】
以下、図1及び２を参照しながら、説明するが、図1は、本実用新案に係る天井直付け灯の
分解した構造を示す図であり、図2は、図1に示す天井直付け灯を組み立てた構造を示す図
である。前記取り付けに便利の天井直付け灯100は、天井直付けベース10、接続機構20、
ジョイント部品30、光源ユニット40と笠50を含んでいる。前記天井直付けベース10と前記
笠50とを組み合わせて収納スペースを形成している。前記第二の接続機構30と前記光源ユ
ニット40が前記天井直付けベース10と前記笠50によって形成される収納スペース内に収納
されている。前記接続機構20において、一部は前記天井直付けベース10内に係合し設置さ
れ、一部は前記天井直付けベース10から延出している。
【００１６】
前記天井直付けベース10は前記天井直付け灯100の本体構成としており、前記天井直付け
ベース10の全体が円形構成を呈しており、その中心位置に円形貫通穴11が備えられている
。前記天井直付けベース10はその底面が前記笠50と接続され、その頂部の平面が天井又は
壁に近隣して設置されている。前記天井直付けベース10の頂面の中部に環形ボス12が備え
られている。
【００１７】
前記環形ボス12の一側部が前記天井直付けベースの頂部に接続されている。前記環形ボス
12は環形本体121と位置限定縁122を含んでいる。前記位置限定縁122は完全な環形ではな
く、対向して設置される二つの欠口123を有する。
【００１８】
図3〜図5を参照しながら説明するが、前記接続機構20が前記天井直付けベース10の中心の
貫通穴11内に係合し設置されている。具体的に、前記接続機構20の本体部が前記環形ボス
12内に収納され、かつ前記接続機構20の頂部が前記環形ボス12から外側に延出している。
【００１９】
前記接続機構20は本体部21、蓋板22、ピン部品23、第一の位置限定部品24と第二の位置限
定部品25を含んでいる。前記本体部21と前記蓋板22を組み合わせて収納スペースを形成し
ている。前記第一の位置限定部品24と前記ピン部品23はいずれも一部が前記本体部21と前
記蓋板22によって形成される収納スペース内に収納されている。
【００２０】
前記本体部21と前記貫通穴11との嵌合設置によって、前記本体部21が前記貫通穴11内に係
合することができる。具体的に、前記本体部21の断面が円形状を呈し、かつ前記貫通穴11
の規格にマッチングしている。本実施形態では、前記本体部21は頂部が開口される円柱形
構成を呈し、かつその内部に収納スペースが備えられている。
【００２１】
前記蓋板22が前記本体部21の開口に蓋設されており、かつ前記本体部21と組み合わせて収
納スペースを形成している。本実施形態では、前記蓋板22と前記本体部21は固定柱によっ
て接続されるが、もちろん、他の実施形態では、他の手段によって前記蓋板22と前記本体
部21を接続してもよく、これについて本実用新案は限定しない。
【００２２】
前記ピン部品23は接続脚231と接続脚固定部232を含んでいる。前記接続脚固定部232が前
記蓋板22と前記本体部21を組み合わせて形成される収納スペース内に収納されている。前
記接続脚231の一端が前記接続脚固定部232に接続され、その他端が蓋板22を通して前記収
納スペースから延出している。前記接続脚23は天井に固定される地震センサーに接続する
ために用いられる。本実施形態では、前記ピン部品23の個数が二つとされている。
【００２３】
図6を参照しながら説明するが、前記第一の位置限定部品24の本体部が前記蓋板22と前記
本体部21を組み合わせて形成される収納スペース内に位置している。具体的に、前記第一
の位置限定部品24は第一の押し部241、位置限定部242と第一のバネ243を含んでいる。
【００２４】
それにおいては、前記第一の押し部241の押し面は露出状態にあり、その他の部分は収納
スペース内に位置している。前記位置限定部242と前記第一の押し部241とが当接して設置
されている。そして、前記位置限定部242の底部と前記第一のバネ243とが当接して設置さ
れている。前記位置限定部242の頂部に位置限定突起2421が備えられており、正常な状態
では、前記位置限定突起2421が前記蓋板22を通して前記収納スペースから延出している。
【００２５】
具体的に、前記第一の押し部241と前記位置限定部242との間は斜面構成となっている。前
記第一の押し部241が押されると、前記第一の押し部241によって前記位置限定部242に下
向きの力を生じらせて、それによって位置限定突起2421が下向きに前記蓋板22の内部まで
移動し、ロック状態を解除していく。一方、前記第一の押し部241の圧力が除去されると
、前記位置限定部242が前記第一のバネ243の弾性力で上向きに押し出され、前記位置限定
突起242が上向きに移動して前記蓋板22の内部から延出し、ロック状態になっていく。
【００２６】
図5を参照しながら説明するが、前記第二の位置限定部品25は第二の押し部251と第二のバ
ネ252を含んでいる。本実施形態では、前記第二の位置限定部品25の個数が二つとされて
おり、かつ前記二つの位置限定部品25が対向して設置されている。自然な状態では前記第
二の押し部251が前記第二のバネ252に押し出されるようにされており、それによって、前
記第二の押し部251が押し出状態にあるようにされる。前記第二の位置限定部品25が前記
環形ボス12内に係合し取り付けることができる。具体的には、対向する二つの第二の押し
部251を押すことにより前記接続機構20を前記環形ボス12の二つの欠口123から前記環形ボ
ス12内に配置することができ、前記環形ボス12又は前記接続機構20を回転させることによ
り前記第二の位置限定部品25と位置限定縁122とを係合させることができる。その結果、
前記天井直付けベース10と前記接続機構20の取り外し可能な接続は可能になる。
【００２７】
前記ジョイント部品30は第一のジョイント31と第二のジョイント32を含んでいる。前記第
一のジョイント31と前記第二のジョイント32とは互いにマッチングして插入し接続するこ
とが可能になる。
【００２８】
前記第一のジョイント31は前記本体部21における前記蓋板22側と反対側の面に位置してい
る。さらに、前記接続機構20と前記ボス12が正常な接続状態にあるときに、前記第一のジ
ョイント25と前記貫通穴11とが同軸に構成されている。さらに、円柱形接触穴261が固定
的に設置されている。
【００２９】
前記第二のジョイント32が前記貫通穴11内に係合し設置され、かつ前記貫通穴11と同軸に
構成されている。前記第二のジョイント32は固定的に設置される円柱形接触針を備えてい
る。正常な使用状態では、前記第一のジョイント31と前記第二のジョイント32とはマッチ
ングして設置され、かつ一体に挿入し接続されており、それによって、電気接続が可能に
なる。また、前記第二のジョイント32と前記光源ユニット40とが電気接続されることによ
って、前記光源ユニット40と前記電源との電気接続が可能になる。
【００３０】
前記光源ユニット40と前記第二のジョイント32とが電気接続されている。本実施形態にお
いては前記光源ユニット40がLED光源ユニットとされたが、これについて本実用新案は限
定しない。
【００３１】
前記笠50が前記天井直付けベース10の底部に笠設されており、それによって、前記光源ユ
ニット40が前記笠50と前記天井直付けベース10を組み合わせて形成される収納スペース内
に笠設されるようになる。
【００３２】
本実用新案において提供される天井直付け灯100は、取り付け及び取り外しに便利である
という利点があり、ニーズによってユニットの交換も可能で、良好なユーザの使用体験を
与えられる。
【００３３】
以上の実施例は本実用新案の好ましい実施例であり、本実用新案の保護範囲を制限せず、
本実用新案において、明細書に開示の技術思想の範囲内で様々な変更及び修正を行うこと
ができ、同様な構造やプロセス、他の領域の直接又は間接的な適用など、置換、変更、改
善はいずれも本実用新案の保護範囲に入る。
【図１】
0003222159.tif 000003
【図２】
0003222159.tif 000004
【図３】
0003222159.tif 000005
【図４】
0003222159.tif 000006
【図５】
0003222159.tif 000007
【図６】
0003222159.tif 000008